(57)【特許請求の範囲】
【請求項１】
所定の操作部と、この操作部を閉状態で操作不能に覆うカバーと、を備える遊技機用電源装置であって、
前記カバーを回動可能、かつ、回動する軸方向に沿って移動可能に支持するヒンジ部と、
前記カバーを閉状態、かつ、前記軸方向に沿った一方側に付勢する付勢手段と、
前記一方側に位置する前記カバーの開状態への回動を妨げ、前記一方側と反対側となる他方側に位置する前記カバーの開状態への回動を許容する回動規制手段と、
閉状態を除いた開状態において、前記カバーを前記付勢手段による前記一方側への付勢力に抗して前記他方側に保持する保持手段と、を備え、
前記カバーは、
閉状態で前記付勢手段によって前記一方側に付勢されつつ、前記回動規制手段によって開閉不能なロック状態となり、
前記他方側に移動させる外力と開方向に回動させる外力とを作用させると開状態となり、
前記外力がなくなると、前記保持手段で保持されつつ、前記付勢手段によって閉方向に回動させられ前記ロック状態に戻り、
前記保持手段は、
前記カバーの軸部に形成され、前記軸方向と直交する方向に突出する回動片と、
前記ヒンジ部に形成され、閉状態を除いた開状態で前記回動片における前記一方側壁面と摺接するガイド片と、からなり、
前記回動片と前記ガイド片は、第二の前記回動規制手段であり、
前記ガイド片は、
閉状態であって前記一方側に位置する前記回動片と当接して該回動片の回動を妨げ、閉状態であって前記他方側に位置する前記回動片と非当接となり該回動片の回動を許容する
ことを特徴とする遊技機用電源装置。
【請求項２】
所定の操作部と、この操作部を閉状態で操作不能に覆うカバーと、を備える電源装置が設けられた遊技機であって、
前記電源装置は、請求項１に記載の遊技機用電源装置であることを特徴とする遊技機。
【発明の詳細な説明】
【技術分野】
【０００１】
本発明は、大当りの当せん確率の設定変更に係る操作部等が設けられた遊技機用電源装置と、この遊技機用電源装置を備える遊技機に関し、特に、操作部に対する不正な操作を排除するカバーを設けた遊技機用電源装置とこの遊技機用電源装置を備える遊技機に関する。
【背景技術】
【０００２】
スロットマシンやパチンコ機等の遊技機には、大当りなどの当りに当せんする当せん確率を操作によって変更する機能、いわゆる設定確率変更機能を備えるものがある。
【０００３】
当せん確率を変更するための操作部の全部又は一部は、遊技機内各部に電源を供給する電源装置に配置され、例えば、電源スイッチや設定キースイッチなどがこれに該当する。そして、設定キースイッチ（シリンダ部）に対応する設定キーを挿入・回転し、オン状態とした後に、電源スイッチをオンすることで、遊技機を設定変更可能な状態にすることができるようになっている。
このような当せん確率の設定変更に係る操作部は、遊技機の施錠可能な前扉に覆われ、通常、操作不能となっている。しかしながら、近年、前扉の隙間などから、ピアノ線やセル等を挿入して、操作部にアクセスし、不正操作を行う行為が多発している。
【０００４】
操作部に対するこのような不正アクセスを排除する目的で、従来から防御策が講じられている。
例えば、特許文献１には、遊技機用電源装置の操作部を、閉じる方向に付勢されたカバーで覆う技術が提案されている。この技術では、さらに手動操作によりカバーを開閉不能なロック状態にするロック機構を備えている。
また、特許文献２には、同じく閉じる方向に付勢されたカバーで操作部を覆う技術が提案され、この技術ではカバーを開状態から手を放すと自動的にロックするロック機構が採用されている。
【先行技術文献】
【特許文献】
【０００５】
【特許文献１】特開２００４−６５４９３号公報
【特許文献２】特開２００８−２２８９４４号公報
【発明の概要】
【発明が解決しようとする課題】
【０００６】
しかしながら、上述したような技術では、以下のような弊害が生じていた。
特許文献１に記載のロック機構は、ロック操作を要するがため、カバーの閉め忘れを防止できなかった。
一方、特許文献２に記載のロック機構は、手を放すとカバーが自動的にロックされるため、閉め忘れを防止できるとともに、ロックを解除する操作を２アクションとすることで、解除操作を複雑にして不正アクセスを抑止できるものの、その分構造が複雑で部品点数が増え、製品コストが増大するという問題があった。
【０００７】
本発明は、このような問題を解決するためになされたもので、操作部を覆うカバーをロックするロック機構を簡易な構造で実現させた遊技機用電源装置とこの遊技機用電源装置を備える遊技機を提供することを目的とする。
【課題を解決するための手段】
【０００８】
上記目的を達成するため、本発明の遊技機用電源装置は、所定の操作部と、この操作部を閉状態で操作不能に覆うカバーと、を備える遊技機用電源装置であって、前記カバーを回動可能、かつ、回動する軸方向に沿って移動可能に支持するヒンジ部と、前記カバーを閉状態、かつ、前記軸方向に沿った一方側に付勢する付勢手段と、前記一方側に位置する前記カバーの開状態への回動を妨げ、前記一方側と反対側となる他方側に位置する前記カバーの開状態への回動を許容する回動規制手段と、閉状態を除いた開状態において、前記カバーを前記付勢手段による前記一方側への付勢力に抗して前記他方に保持する保持手段と、を備え、前記カバーは、閉状態で前記付勢手段によって前記一方側に付勢されつつ、前記回動規制手段によって開閉不能なロック状態となり、前記他方側に移動させる外力と開方向に回動させる外力とを作用させると開状態となり、前記外力がなくなると、前記保持手段で保持されつつ、前記付勢手段によって閉方向に回動させられ前記ロック状態に戻る構成としてある。
【０００９】
また、本発明の遊技機は、所定の操作部と、この操作部を閉状態で操作不能に覆うカバーと、を備える電源装置が設けられた遊技機であって、前記電源装置を上記の遊技機用電源装置とした構成としてある。
【発明の効果】
【００１０】
本発明によれば、カバーのロックを、簡易な構造で実現できる。
【図面の簡単な説明】
【００１１】
【図１】本発明の一実施形態に係るスロットマシンの正面図である。
【図２】本発明の一実施形態に係るスロットマシンの内部構成を示す斜視図である。
【図３】本発明の一実施形態に係る遊技機用電源装置を左側から見た斜視図であり、カバー開状態を示す図である。
【図４】本発明の一実施形態に係る遊技機用電源装置の左側から見た斜視図であり、カバー閉状態を示す図である。
【図５】本発明の一実施形態に係る遊技機用電源装置の右側から見た斜視図とヒンジ部の拡大斜視図であり、カバーが閉状態であって下方側に位置する図である。
【図６】本発明の一実施形態に係る遊技機用電源装置の右側から見た斜視図とヒンジ部の拡大斜視図であり、カバーが少し開いた開状態を示す図である。
【図７】本発明の一実施形態に係る遊技機用電源装置に装着される、カバーが閉状態であって下方側に位置するカバーユニットを示し、（ａ）は、左側面図、（ｂ）は、正面図、（ｃ）は、右側面図である。
【図８】本発明の一実施形態に係る遊技機用電源装置に装着される、カバーが閉状態であって上方側に位置するカバーユニットを示し、（ａ）は、左側面図、（ｂ）は、正面図、（ｃ）は、右側面図である。
【図９】本発明の一実施形態に係る遊技機用電源装置に装着されるカバーユニットを示し、カバー開状態の右側面図である。
【発明を実施するための形態】
【００１２】
以下、本発明の遊技機用電源装置と、これを備える遊技機について、各図を参照して説明する。
遊技機には、パチンコ機、スロットマシン、アレンジボール、雀球など様々な機類があるが、本実施形態では、メダルを遊技媒体とするスロットマシンに、本発明の遊技機用電源装置を適用した場合について説明する。
【００１３】
[スロットマシン]
図１、図２に示すように、本実施形態のスロットマシン１は、複数のリール７１ａ，７１ｂ，７１ｃを回転させることによって遊技媒体（メダル）を獲得することができるとともに、予め６段階に分けて設定された大当りの当せん確率をいずれかの段階に設定変更可能な設定確率変更機能を備える回胴式遊技機である。
スロットマシン１は、必要な機械、装置等を収納する正面側が開口した筐体１ｂと、筐体１ｂの正面側を開閉可能に覆う前扉１ａとで構成されている。
【００１４】
前扉１ａは、筐体１ｂにヒンジ１ｃを介して開閉可能に取り付けられる扉体で、この前扉１ａに、メダルを投入するメダル投入口２、各リール７１の回転を始動させるスタートレバー３や、回転している各リール７１を停止させる３つの停止ボタン４ａ〜４ｃ、押下操作により内部記憶（クレジット）されたメダルをゲームに投入するＭＡＸＢＥＴボタン５ａと１ＢＥＴボタン５ｂなどの複数の操作手段や、設定確率が変更可能な状態においていずれかの段階数（１〜６）を表示し、それ以外の状態において払出メダル数を表示する払出枚数表示部６などが設けられて、スロットマシン１の正面部を構成している。
【００１５】
また、前扉１ａの裏面には、設定確率が変更可能な状態において、６段階に分かれた当せん確率のうちいずれかの段階を選択可能な選択スイッチが設けられ（不図示）、払出枚数表示部６に表示されたいずれかの段階数を視認しつつ、設定確率を選択できるようになっている。
【００１６】
筐体１ｂの中央には、リール７１ａ，７１ｂ，７１ｃと、各リール７１を回転可能に支持する図示しないモータ及び回転位置を検出するセンサ等が設けられている。
また、筐体１ｂの下部には、メダルの貯留・払出しを行うメダル払出装置８と電源装置９が設けられ、筐体１ｂの後面上部には、基板ケース１０が取り付けられている。
【００１７】
電源装置９は、スロットマシン１内各部に適する電源を生成して供給する本発明に係る遊技機用電源装置として構成され、電源をＯＮ／ＯＦＦ（入／切）する電源スイッチ９ｂなどの操作部が設けられている（図３参照）。
【００１８】
基板ケース１０には、上記の各操作手段からの信号に基づき、各リール７１、メダル払出装置８などの各装置を制御することで、スロットマシン遊技の進行制御を行う、いわゆる主基板１０ａが収容されるとともに、キー操作によって設定確率が変更可能な状態にする設定キースイッチを備える設定キーユニット１１が装着されている。
基板ケース１０は、無色透明な合成樹脂（例えば、ポリカーボネート）で形成された二つのケースを備え、主基板１０ａはこれらのケースの間に挟まれるように収容されている。
【００１９】
主基板１０ａは、ＣＰＵ（中央演算処理装置）、ＲＯＭ及びＲＡＭなどの記憶手段、Ｉ／ＯインターフェイスなどのＩＣ部品、抵抗、コンデンサ、トランジスタなどを備えるコンピュータとして構成されている。
ＲＯＭには、スロットマシン１を制御する制御プログラムやデータが記憶され、このデータには、ゲーム毎に行われる内部抽せんにおいて、乱数と比較される大当り抽せんデータテーブルが設定されている。
【００２０】
大当り抽せんデータテーブルは、大当りとなるボーナス役、メダルが払出される小役、メダルを投入することなく次回遊技可能となる再遊技役（リプレイ）、ハズレなどの抽せん対象の当せん範囲が数値化されたデータテーブルで、スタートレバー３操作のタイミングで取得される乱数と比較され、この乱数の属する当せん範囲の抽せん対象に当せんするようになっている。すなわち、各抽せん対象の当せん範囲を変えることで、各抽せん対象の当せん確率が変化するデータテーブルとなっている。
【００２１】
本実施形態のスロットマシン１では、ボーナス役や小役などの当せん範囲（当せん確率）が異なる６つの大当り抽せんデータテーブルがＲＯＭに記憶され、主基板１０ａは、電源スイッチ９ｂがＯＮ（入）されたときに設定キースイッチからＯＮ信号を受信すると、設定確率を変更可能な状態とする。この状態で、前述の選択スイッチを操作することで、任意のデータテーブルを選択できるとともに、スタートレバー３を操作することにより、選択した設定確率への変更が決定され、さらに設定キースイッチをＯＦＦに戻すことで、以後この選択された大当り抽せんデータテーブルが内部抽せん時の参照テーブルとして用いられる。
【００２２】
すなわち、電源装置９に設けられた電源スイッチ９ａ、設定キーユニット１１に設けられた設定キースイッチ、選択スイッチ、スタートレバー３が、本発明の当せん確率の設定変更に係る操作部となっている。また、当せん確率の設定変更は、電源投入時のみ有効であることから、特に、電源スイッチ９ａは、当せん確率の設定変更を行ううえで、重要な操作部と位置づけられている。
そこで、電源装置９は、この電源スイッチ９ａを閉状態で操作不能に覆う本発明に係るカバー９２を備えている（後述）。
【００２３】
このような構成からなるスロットマシン１は、主基板１０ａにより、以下のように制御されてスロットマシン遊技が進行する。
まず、遊技者によりメダル投入口２からメダルが投入され、スタートレバー３が操作されると、主基板１０ａは、各リール７１を回転させる制御を行うとともに、設定された大当り抽せんデータテーブルを参照してボーナスや小役等を抽せんする内部抽せんを行い、各停止ボタン４が押下操作されたタイミングに基づき、当せん結果に応じた図柄の組合せで停止するよう、回転している各リール７１の停止制御を行う。
また、主基板１０ａは、各リール７１に停止表示される図柄の組合せを判定し、所定の図柄の組合せのときには、メダル払出装置８に対して所定数のメダルを払い出させる制御を行う。
【００２４】
[電源装置]
次に、本発明に係る電源装置９の詳細な構成について図３〜図９を参照して説明する。
図３及び図４は、電源装置９を左側から見た斜視図であり、図３は、カバー９２が開いた開状態を示し、図４は、カバー９２が閉じた閉状態を示している。
各図に示すように、本実施形態の電源装置９は、鋼板を加工して筐体状に形成され、図示しない電源基板等が内蔵されている装置本体９ａと、この装置本体９ａに装着されたカバーユニット９０とで構成され、設定変更に係る操作部の一つである電源スイッチ９ｂやその他の操作部が、カバーユニット９０に囲まれるように配置されている。
その他の操作部としては、例えば、スロットマシン１の打止の有無を設定する打止有無スイッチ（図３〜図６中「打止め」に対応するスライドスイッチ）、メンテナンス時にメダルを回収するため、メダルをスロットマシン１の受け皿に自動的に払い出すか否かを設定する自動精算スイッチ（図３〜図６中「自動精算」に対応するスライドスイッチ）が設けられている。
【００２５】
カバーユニット９０は、台座９１と、この台座９１に開閉可能に支持されるカバー９２とで構成され、装置本体９ａにネジ９ｃで螺着されている。このカバーユニット９０は、筐体１ｂの正面側開口に面するように装着されている（図２参照）。
【００２６】
台座９１は、所定の合成樹脂（例えば、ポリカーボネート）で形成された板状部材で、カバー９２を回動可能、かつ回動する軸方向に沿って上下移動可能に支持する支軸９１１と、カバー９２の係合片９２３と係合する係合部９１３と、電源スイッチ９ｂ正面を外部に臨ませつつその側面を囲む囲いリブ９１４と、カバー９２の外縁リブ９２ｂが嵌入する凹部９１５とが形成されている。
この囲いリブ９１４は、電源スイッチ９ｂの操作端が操作により可動する範囲を超える高さで形成されている。また、凹部９１５上方には、カバー９２を閉状態のまま軸方向に沿って上方側（他方側）に移動できるように、凹部９１５と面一で繋がるスペース９１５ａを設けてある。
【００２７】
また、台座９１の右下部には、付勢手段の一例であるねじりコイルバネ９０ａを設けてある。このねじりコイルバネ９０ａは、支軸９１１を延長した軸に巻回されるとともに、その一端をカバー９２に係止させている（図７〜図９参照）。このねじりコイルバネ９０ａは、カバー９２を、閉状態かつ支軸９１１に沿って下方側（一方向側）に付勢させるように作用する。
このように、カバー９２の閉方向への付勢手段と下方側への付勢手段をそれぞれ設けることなく、一のねじりコイルバネ９０ａによって双方を実現しているので、コストを低減させることができる。
【００２８】
カバー９２は、所定の合成樹脂（例えば、ポリカーボネート）で形成された電源スイッチ９ｂを覆う凹状部材で、閉状態で電源スイッチ９ｂ正面を覆う蓋部９２ａと、電源スイッチ９ｂ側面を囲む外縁リブ９２ｂと、支軸９１１に回動可能かつ回動する軸方向に沿って上下移動可能に遊嵌される軸受９２１と、係合部９１３と係合する係合片９２３と、カバー９２を開状態にする際に操作する把手９２４とが形成されている。
【００２９】
本実施形態では、支軸９１１と軸受９２１で、本発明に係るヒンジ部９０ｂを構成し、このヒンジ部９０ｂは、カバーユニット９０の右側に位置するように形成されている。これにより、カバー９２は、左側が開放する。一方、前扉１ａは、左側にヒンジ１ｃを有するがため、右側が開放する（図２参照）。
このように、カバー９２の開閉方向と前扉１ａの開閉方向とを異ならせることで、双方を開状態とした場合でも、電源スイッチ９ｂへのアクセス経路が曲折することになり、不正な操作を困難にすることができる。
【００３０】
このような構成により、電源スイッチ９ｂは以下のように不正なアクセスから保護される。
電源スイッチ９ｂを、例えばシーソー型スイッチとした場合、囲いリブ９１４は、シーソー型スイッチの操作端（三角形状の部位）の頂点より高く形成されているため、側方から異物を侵入させて電源スイッチ９ｂを操作する行為を阻止できる。
さらに、カバー９２の閉状態では、凹部９１５に外縁リブ９２ｂが嵌入されることから、カバー９２側面からの異物の侵入経路はコの字状となるため、異物の侵入を困難にさせることができる。
【００３１】
また、カバーユニット９０は、係合片９２３と係合部９１３との係合により、カバー９２を開閉不能にロックするスライド錠９０ｃを備えている。
具体的には、スライド錠９０ｃは係合片９２３と係合部９１３とで構成され、係合部９１３には、係合片９２３が嵌入する溝部９１３ａと、係合片９２３を溝部９１３ａにガイドするスロープ９１３ｂが設けられている。
【００３２】
このような構成により、閉状態にあるカバー９２は、図４に示すように、係合片９２３が溝部９１３ａに嵌入することで（係合片９２３と係合部９１３とが係合）、カバー９２が開閉不能にロックされる。
また、このロックは、閉状態において、溝部９１３ａから係合片９２３が抜け出るまでカバー９２を支軸９１１に沿って上方側（他方側）に移動させると（係合片９２３と係合部９１３とが非係合）、解除できる（図８参照）。
つまり、スライド錠９０ｃは本発明に係る回動規制手段として動作し、閉状態であって支軸９１１に沿った下方側（一方側）にカバー９２が位置するときには、係合片９２３と係合部９１３とが係合状態となり、カバー９２の開方向への回動が妨げられるとともに、係合片９２３と係合部９１３とが非係合状態となるまで、カバー９２を支軸９１１に沿って上方側（他方側）に移動させると、カバー９２の開方向への回動が許容され、図３に示すように、カバー９２を開状態とすることができる。
【００３３】
また、カバー９２は、ねじりコイルバネ９０ａにより下方側（一方側）に付勢されていることから、閉状態では常にロック状態となっている。従って、カバー９２を開状態とするためには、ねじりコイルバネ９０ａによる付勢力に抗してカバー９２を支軸９１１に沿って上方側（他方側）に移動させる外力を作用させなければならない。
このため、前扉１ａの隙間などから挿入するピアノ線やセル等の長物では、カバー９２を上方側に移動させようとする力がうまくカバー９２に伝達できないため、不正アクセスを抑止できる。
【００３４】
次に、本発明に係る保持手段ついて図５、図６を用いて説明する。
図５及び図６は、電源装置９を右側から見た斜視図とヒンジ部９０ｂの拡大斜視図であり、図５は、カバー９２が閉状態であって下方側に位置する斜視図を示し、図６は、カバー９２が少し開いた開状態を示す斜視図である。
各図に示すように、カバー９２は、そのヒンジ部９０ｂ側に、支軸９１１と直交する方向に突出する回動片９２２を備え、支軸９１１は、回動片９２２と同方向に突出するガイド片９１２を備え、これらが開状態において以下のように係合して本発明の保持手段として動作する。
【００３５】
具体的には、各図に示すように、ガイド片９１２には、閉状態であって下方側に位置する回動片９２２（裏面）と当接するとともに、閉状態であって上方側に位置する回動片９２２（裏面）と非当接となる当接面９１２ａと、閉状態を除いた開状態であって上方側に位置する回動片９２２（底面：下方側壁面[一方向側壁面]）と摺接する摺接面９１２ｂとが形成されている。
【００３６】
このような構成により、閉状態であって下方側に位置するカバー９２を上方側に移動させることで、回動片９２２（裏面）と当接面９１２ａとを非当接状態にするとともに、カバー９２を開方向に回動させることで（閉状態を除いた開状態）、図６に示すように、回動片９２２（底面）と摺接面９１２ｂとが摺接状態になる。
【００３７】
この摺接状態（閉状態を除いた開状態）では、カバー９２はねじりコイルバネ９０ａにより下方側に付勢されているものの、ガイド片９１２がこの付勢力に抗して回動片９２２を上方側に保持している（保持手段）。そのため、閉状態であって下方側に位置するカバー９２を上方側に移動させる外力を作用させた後において、カバー９２を開状態にするには、カバー９２を開方向に回動させる外力のみを作用させればよいことが分かる。つまり、カバー９２を上方側に移動操作した後は、開方向への外力のみでカバー９２を開状態とすることができる。
【００３８】
また、この摺接状態（閉状態を除いた開状態）では、カバー９２はねじりコイルバネ９０ａにより閉方向に付勢されている。そのため、カバー９２に作用させる外力をなくすと、カバー９２は、ガイド片９１２が回動片９２２を上方側に保持したまま閉状態に戻るとともに、この閉状態で摺接状態が解除され、コイルバネ９０ａの下方側への付勢力により下方側に移動する。その結果、カバー９２は、係合片９２３が溝部９１３ａに嵌入されるロック状態となる。つまり、開状態でカバー９２から手を放すと、カバー９２は閉状態になるだけでなく、自動的にロック状態となる。
【００３９】
なお、上記の実施形態におけるガイド片９１２の当接面９１２ａと摺接面９１２ｂはほぼ直角で交わるように形成したが、これを円弧（Ｒ）で繋げることもできる。直角に交わると、下方側にあるカバー９２を上方側に移動させた後、さらに開方向に回動させるときの操作経路は、直角となるが、円弧（Ｒ）で繋げると、操作経路が円弧を描くことから操作がスムーズとなり、店員などの遊技場係員による操作負担を軽減できる。
【００４０】
また、上記の円弧（Ｒ）で繋げた場合において、開状態にあるカバー９２から手を放すと、閉状態に至らないうちにカバー９２が下方側に移動してしまい、係合片９２３が溝部９１３ａに嵌入されないおそれが生じる。ところが、係合部９１３に形成したスロープ９１３ｂが、下方側に移動しようとする係合片９２３を下方側から保持し、係合片９２３を溝部９１３ａにガイドするようになっている（第二の保持手段）。
このスロープ９１３ｂは、溝部９１３ａに向かって上方に傾斜する傾斜面として形成され、係合片９２３はその底面がスロープ９１３ｂに摺接しながら溝部９１３ａにガイドされる。
【００４１】
さらに、ガイド片９１２と回動片９２２は、本発明に係る第二の回動規制手段として動作する。
具体的には、図５から明らかなように、閉状態であって下方側に位置する回動片９２２は、ガイド片９１２の当接面９１２ａに当接している。
このため、閉状態であって下方側に位置するカバー９２は、開方向への回動がガイド片９１２によって妨げられた状態、すなわち、ガイド片９１２と回動片９２２との係合により、カバー９２は開閉不能なロック状態となっている（第二の回動規制手段）。
このロックは、スライド錠９０ｃのロック解除と同様、カバー９２を上方側に移動操作することで解除できる。
従って、スライド錠９０ｃをなくしたとしても、閉状態にあるカバー９２は、ガイド片９１２と回動片９２２との係合によりロック状態にあることが分かる。
このようにガイド片９１２と回動片９２２は、それぞれヒンジ部９０ｂと支軸９１１に突設させただけの簡易な構造であるものの、保持手段のみならず回動規制手段としても動作するので、各々別設する必要がなく、コストの低減が図られる。
【００４２】
以上のように構成された本実施形態に係るカバーユニット９０のカバー９２の開閉動作について図７〜図９を参照して説明する。
図７は、カバー９２が閉状態であって下方側に位置するカバーユニット９０を示し、（ａ）は、左側面図、（ｂ）は、正面図、（ｃ）は、右側面図であり、図８は、カバー９２が閉状態であって上方側に位置するカバーユニット９０を示し、（ａ）は、左側面図、（ｂ）は、正面図、（ｃ）は、右側面図である。また、図９は、カバー９２が閉状態にあるカバーユニット９０の右側面図である。
【００４３】
図７に示すように、閉状態では、電源スイッチ９ｂはカバー９２で操作不能に覆われ、不正なアクセスから保護されるようになっている。
カバー９２は、ねじりコイルバネ９０ａにより、閉状態かつ下方側に付勢されていることから、なんら外力が加わらない限りこの閉状態を維持することになる。カバー９２がこの閉状態かつ下方側に位置するときは、係合片９２３が溝部９１３ａに嵌入されているのみならず、回動片９２２がガイド片９１２に当接しているため、カバー９２の開方向への回動が妨げられている。すなわち、カバー９２は開閉不能にロックされている。
【００４４】
このような状態において、図８に示すように、把手９２４を摘んでカバー９２にＡ方向（上方側）の外力を作用させると、係合片９２３が溝部９１３ａから脱抜されるとともに、回動片９２２とガイド片９１２とが非当接状態となり、カバー９２の開方向への回動が許容される。
【００４５】
さらに、カバー９２に開方向への外力を作用させると、図９に示すように、回動片９２２とガイド片９１２とが摺接状態となり、カバー９２はねじりコイルバネ９０ａにより下方側に付勢されているものの、ガイド片９１２がこの付勢力に抗して回動片９２２を上方側に保持しているため、開方向に回動させる外力のみを作用させればカバー９２を開状態にできるようになっている。なお、本実施形態の回動片９２２は、支軸９１１と接する面が弧状に凹設され、軸受としても動作するようになっている（図５参照）。
【００４６】
開状態では、電源スイッチ９ｂ正面が外部に露出される。店員などの遊技場係員はカバー９２に開方向への外力を作用させたまま、電源スイッチ９ｂに対して当せん確率の設定変更操作に係るＯＮ／ＯＦＦ操作を行うことができる。
【００４７】
そして、この開状態でカバー９２から手を放すと、カバー９２はねじりコイルバネ９０ａの付勢力により閉状態に戻る。
このとき、カバー９２は、ガイド片９１２により上方側に保持されつつ閉状態に戻り、この閉状態でガイド片９１２による保持が解除され、コイルバネ９０ａの下方側への付勢力により下方側に移動する。下方側への移動と同時に、係合片９２３が溝部９１３ａに嵌入され、さらに回動片９２２がガイド片９１２に当接する当接状態となり、カバー９２は再びロック状態に戻る。
このようにカバー９２はなんら外力が作用しない状態では、常に閉状態かつロック状態に戻ることから、閉め忘れのみならずロック忘れも防止できる。
【００４８】
以上説明したように、本実施形態に係る電源装置９によれば、ロック忘れと操作部に対する不正アクセスの排除を、簡易な構造で実現できる。
【００４９】
以上、本発明の遊技機用電源装置と、この遊技機用電源装置を備える遊技機について、好ましい実施形態を示して説明したが、本発明に係る遊技機用電源装置と、この遊技機用電源装置を備える遊技機は、上述した実施形態にのみ限定されるものではなく、本発明の範囲で種々の変更実施が可能であることは言うまでもない。
【００５０】
例えば、本実施形態では、本発明に係る保持手段を、回動片９２２とガイド片９１２とで構成したが、係止片９２３とスロープ９１３ｂとで構成することもできる。この場合、スロープ９１３ｂを係止片９２３の回動軌跡において常に下側に位置するように形成すれば足りる。
【００５１】
また、本実施形態では、カバーの回動方向を水平方向としたが、鉛直方向としてもよい。この場合、カバーの軸方向に沿った移動方向は、左右方向となる。
また、本実施形態では、電源装置９に電源スイッチ９ｂのみを設けたが、設定キースイッチ、選択スイッチなどの当せん確率の設定変更に係るその他の操作部を電源装置に設け、これらを一のカバー９２で全体を覆う、又は、独立した個々のカバー９２でそれぞれを覆う構成とすることもできる。
【００５２】
また、本実施形態では、当せん確率の設定変更に係る操作部である電源スイッチ９ｂのみをカバー９２で覆う構成としたが、その他の操作部である、打止有無スイッチ（図３〜図６中「打止め」に対応するスライドスイッチ）、自動精算スイッチ（図３〜図６中「自動精算」に対応するスライドスイッチ）をカバー９２で覆う構成とすることもできる。この場合、図３〜図９の各図において、これらのスイッチを被覆可能なように、カバー９２を鉛直方向に拡張させても良いし、また、カバー９２と別体の専用カバーを設けても良い。
【産業上の利用可能性】
【００５３】
本発明は、当せん確率の設定変更機能を有する遊技機に適用することができる。
【符号の説明】
【００５４】
１  スロットマシン
１ｃ  ヒンジ
９  電源装置（遊技機用電源装置）
９ｂ  電源スイッチ
９０  カバーユニット
９０ａ  ねじりコイルバネ
９１  台座
９１１  支軸（ヒンジ部）
９１２  ガイド片（保持手段）
９１３  係合部（スライド錠）
９１３ａ  溝部
９１３ｂ  スロープ
９１４  囲いリブ
９１５  凹部
９２  カバー
９２ａ  蓋部
９２ｂ  外縁リブ
９２１  軸受（ヒンジ部）
９２２  回動片（保持手段）
９２３  係止片（スライド錠）
９２４  把手
【図１】
0005499291.tif 000002
【図２】
0005499291.tif 000003
【図３】
0005499291.tif 000004
【図４】
0005499291.tif 000005
【図５】
0005499291.tif 000006
【図６】
0005499291.tif 000007
【図７】
0005499291.tif 000008
【図８】
0005499291.tif 000009
【図９】
0005499291.tif 000010